(57)【要約】【課題】  複数のビデオカメラを持たない場合にも、所望の画像を簡単に入手可能な装置を提供する。【解決手段】  被写体を撮像する撮像手段と、前記撮像手段により撮像された動画像データの一部を選択する選択手段と、外部装置との間で双方向通信が可能な通信手段と、前記通信手段により前記外部装置に対して前記選択手段により選択された一部の画像データを送信すると共に、前記一部の画像データを受けて前記外部装置から送信された機器情報を前記通信手段により受信し、この受信した機器情報に応じて前記撮像手段により撮像された動画像データを前記通信手段により前記機器情報に応じた前記外部装置に送信する制御手段とを備える。【選択図】        図１
2006165611.tif 000002
【特許請求の範囲】
【請求項１】
被写体を撮像する撮像手段と、
前記撮像手段により撮像された動画像データの一部を選択する選択手段と、
外部装置との間で双方向通信が可能な通信手段と、
前記通信手段により前記外部装置に対して前記選択手段により選択された一部の画像データを送信すると共に、前記一部の画像データを受けて前記外部装置から送信された機器情報を前記通信手段により受信し、この受信した機器情報に応じて前記撮像手段により撮像された動画像データを前記通信手段により前記機器情報に応じた前記外部装置に送信する制御手段とを備えることを特徴とする撮像装置。
【請求項２】
前記撮像手段により撮像された動画像データと前記選択手段より選択された動画像の一部を表示すると共に、前記外部装置から受信した画像情報送信依頼信号を表示する表示手段を備えることを特徴とする請求項１記載の撮像装置。
【請求項３】
複数の外部の撮像装置により撮像された動画像データの代表画像データを受信する通信手段と、
前記受信した複数の代表画像を同一画面に表示する表示手段と、
前記表示手段に表示された複数の代表画像の中から任意の画像を選択する選択手段と、
前記選択手段により選択された代表画像を送信した撮像装置に対し、動画像データの送信を要求する送信依頼情報を前記通信手段により送信する制御手段とを備えることを特徴とする受信装置。
【請求項４】
前記通信手段は、前記代表画像データを送信した各撮像装置のＩＤ情報を受信し、前記制御手段は前記ＩＤ情報に基づいて前記選択された代表画像を送信した撮像装置を決定し、前記送信依頼情報を送信することを特徴とする講求項３記載の受信装置。
【請求項５】
前記制御手段は更に、前記選択された代表画像データを送信した撮像装置に対し、撮影機能を制御するための制御情報を送信することを特徴とする請求項３記載の受信装置。
【請求項６】
前記通信手段は更に、前記代表画像データを送信した各撮像装置の機種名の情報を受信し、前記表示手段は前記代表画像と共に前記機種名の情報も表示することを特徴とする請求項３記載の受信装置。
【発明の詳細な説明】
【技術分野】
【０００１】
本発明は撮像装置及び受信装置に関し、特に撮影した画像情報を無線通信可能な装置に関する。
【背景技術】
【０００２】
近年、ビデオカメラが各家庭に普及しており、特にデジタルビデオカメラでは、簡単に高画質な画像を撮影可能となってきた（例えば、特許文献１参照）。
【特許文献１】特開平９−１４７４８６号公報
【発明の開示】
【発明が解決しようとする課題】
【０００３】
この様なビデオカメラは、特に運動会や学芸会などで使用されることが多く、子供をズームアップで撮影したい、全景も撮影したい、また、違うポジションから撮影したい、という場面がよくあるが、ビデオカメラ１台でズームアップのみ撮影すると、全景がわからず面白味のない映像になり、逆に全景のみ撮影すると、子供の表情までわからず感動のない映像になってしまうことがある。またビデオカメラは高価なものが多く、２台用意することはなかなかできない。
【０００４】
本発明は前述の如き問題を解決し、複数のビデオカメラを持たない場合にも、所望の画像を簡単に入手可能な装置を提供することを目的とする。
【課題を解決するための手段】
【０００５】
本発明においては、被写体を撮像する撮像手段と、前記撮像手段により撮像された動画像データの一部を選択する選択手段と、外部装置との間で双方向通信が可能な通信手段と、前記通信手段により前記外部装置に対して前記選択手段により選択された一部の画像データを送信すると共に、前記一部の画像データを受けて前記外部装置から送信された機器情報を前記通信手段により受信し、この受信した機器情報に応じて前記撮像手段により撮像された動画像データを前記通信手段により前記機器情報に応じた前記外部装置に送信する制御手段とを備える。
【発明の効果】
【０００６】
本発明によれば、簡単な構成で他の撮像装置により撮影されている画像を受信して記録することができる。
【発明を実施するための最良の形態】
【０００７】
以下添付図面に従って本発明によるビデオカムコーダーシステムの実施の形態について説明する。
【実施例】
【０００８】
図１は本発明の実施形態に関するビデオカメラの構成を示すブロック図である。図において、被写体を撮像するカメラ部１０、画像情報を記録再生するディスクレコーダー１１、画像情報を表示するＬＣＤモニター１２、ＬＣＤモニターを表示させるＬＣＤモニター表示回路１３、ビデオカムコーダー固有の識別符号を示すＩＤ情報と画像情報や各信号を送受信する画像情報ＩＤ情報各信号送受信回路１４、ビデオカメラ固有の識別符号を示すＩＤ情報を検知するビデオＩＤ情報検知手段１５、他のビデオカメラとの間で画像情報とＩＤ情報等の情報を送受信するための情報送受信ＳＷ１６、画像情報を記録スタートさせる画像記録ＳＷ１７、他のビデオカメラに画像情報を送信依頼するモードにするための送信依頼ＳＷｌ８、ビデオカメラを制御するシステムマイコン１９、他のビデオカメラのＩＤ情報を指定するモードにするための他ビデオＩＤ指定ＳＷ２０、他のビデオカメラのＩＤ情報等を入力するための他ビデオＩＤ情報入力手段２１、画像情報とＩＤ情報や各信号を合成あるいは分解する画像情報ＩＤ情報各信号合成分解回路２２、他ビデオを操作するモードあるいは他ビデオから操作されるモードにする他ビデオ操作ＳＷ、他ビデオに機種名やスペックを送信するモードあるいは他ピデオから受信した機種名やスペックをＬＣＤモニターに表示するモードにするスペックＳＷ２４、ディスクレコーダー１１の記録モードを他のビデオカメラからの画像のみを記録するのか、自分で撮像している画像のみを記録するのか、前記両方の画像を同時に記録するのかを切換える記録モード切換ＳＷ２５、ディスクレコーダー１１の再生モードを他のビデオカメラからの画像を記録したもののみを再生するのか、自分で撮像した画像を記録したもののみを再生するのか、前記両方の画像を記録したものを同時に再生するのかを切換える再生モード切換ＳＷ２６、ディスクレコーダー１１に記録された画像情報を再生させる画像再生ＳＷ２７から構成される。
【０００９】
ビデオカメラには固有の識別符号を示すＩＤ情報が付与される。
【００１０】
図２ａは、前記ビデオカメラ複数台からなるシステムの内、画像情報送信側となるビデオカメラの動作を示すフローチャートである。
【００１１】
ステップＳ１のビデオカムコーダーの通常の動作を行う通常モードから、ステップＳ２で情報送受信ＳＷ１６がＯＦＦの時は、ステップＳ１の通常モードとなる。ステップＳ２で画像情報ＩＤ情報を送受信する送受信ＳＷ１６がＯＮされると、ステップＳ３でシステムマイコン１９はＬＣＤモニター表示回路ユ３を介してＬＣＤモニター１２に静止画像情報ＩＤ情報を送信中であることを表示させ、ステップＳ４で画像情報ＩＤ情報各信号送受信回路１４を介して静止画像情報ＩＤ情報を他ピデオカムコーダーに対し送信する。ステップＳ５で他のビデオカメラ送信依頼信号や他ピデオＩＤ情報を受信しなかった場合はステップＳ２となり、他のビデオカメラから送信依頼信号や他ビデオＩＤ情報を受信した場合は、ステップＳ６でＬＣＤモニターに他ピデオカムコーダーからの送信依頼信号と他ビデオＩＤ情報を表示し、ステップｓ７で撮像中の動画像情報を、送信依頼信号を送信してきたビデオカメラに対して送信する。
【００１２】
ステップＳ８で他のビデオカメラから記録中信号を受信しなければステップＳ５となり、記録中信号を受信した場合は、ステップＳ９でＬＣＤモニターに他のビデオカメラからの記録中信号を表示する。
【００１３】
図２ｂは、前記システムの内、画像情報受信側となるビデオカメラの動作を示すフローチャートである。
【００１４】
ステップＳｌ１の通常モードの状態から、ステップＳｌ２で画像情報、ＩＤ情報を送受信する送受信ＳＷ１６がＯＦＦの場合、ステップＳｌ１の通常モードにもどり、ステップＳｌ２で画像情報、ＩＤ情報を送受信する送受信ＳＷ１６がＯＮされ、ステップ、Ｓ１３で他ビデオＩＤ情報検知手段１５が他のビデオＩＤ情報を検知しない場合は、ステップＳ１１の通常モードにもどる。ステップＳｌ３で他ビデオＩＤ情報検知手段１５が他ピデオＩＤ情報を検知すると、ステップＳ１４でシステムマイコン１９は画像情報ＩＤ情報各信号送受信回路１４により、他ビデオＩＤ情報、静止画像情報を受信し、ステップＳｌ５でＬＣＤモニター表示回路１３を介してＬＣＤモニター１２に他ビデオカメラの静止画像情報、ＩＤ情報を表示させる。受信した静止画像情報を必要とせずステップＳｌ６で送信依頼ＳＷ１８がＯＦＦの場合には、ステップＳ１１の通常モードにもどり、受信した静止画像情報が必要でステップＳｌ６で送信依頼ＳＷｌ８がＯＮの場合には、必要な静止画像情報を送信してきた他ビデオカムコーダーに対してステップＳｌ７で画像情報ＩＤ情報各信号送受信回路１４により送信依頼信号を送信する。
【００１５】
ステップＳｌ８で他のビデオカメラから他ビデオＩＤ情報と動画像情報を受信しない場合は、ステップＳ１１の通常モードにもどり、ステップＳｌ８で他のビデオカメラから他ビデオＩＤ情報と動画像情報を受信した場合は、ステップＳ１９でＬＣＤモニター表示回路１３を介してＬＣＤモニター１２に他ビデオカメラが撮像中の動画像情報、他ピデオＩＤ情報を表示させる。ステップＳ２０で画像記録ＳＷｌ７がＯＦＦの場合には、ステップＳ１１の通常モードにもどり、ステップＳ２０で画像記録ＳＷｌ７がＯＮの場合には、ステップＳ２１で他ビデオカムコーダーの動画像情報をディスクレコーダー１１に記録し、ステップＳ２２で画像情報ＩＤ情報各信号送受信同路１４により、動画像像情報を送信してきている他ビデオカメラに対して動画像情報を記録中であることを示す記録中信号を送信する。
【００１６】
図３ａは、前記システムの内、静止画像情報送信依頼信号を他のビデオカメラに対し送信し、複数の他のビデオカメラから静止画像情報受信したビデオカメラの動作を示すフローチャートである。
【００１７】
ステップＳ３１の通常モードの状態から、ステップＳ３２で他のビデオカメラに対して画像情報を送信依頼するモードにするための送信依頼ＳＷ１８がＯＦＦの時、ステップＳ３１の通常モードにもどり、ステップＳ３２で送信依頼ＳＷ１８がＯＮの場合、ステップＳ３３で情報を送受信するための情報送受信ＳＷ１６がＯＦＦの時は、ステッブＳ３１の通常モードとなる。
【００１８】
ステップＳ３３で情報送信ＳＷ１６がＯＮになると、ステップＳ３４でシステムマイコン１９は、ＬＣＤモニター表示回路１３を介してＬＣＤモニター１２に自己ＩＤ情報と、静止画像情報送信依頼信号を送信することを表示し、ステップＳ３５で静止画像情報ＩＤ情報各信号送受信回路１４を介して、自己ＩＤ情報と、画像情報送信依頼信号を送信する。ステップＳ３６で他ビデオカメラから他ビデオＩＤ情報、静止画像情報を受信しない場合は、ステップＳ３１の通常モードにもどり、ステップＳ３６で他ビデオカメラから他ビデオＩＤ情報、静止画像情報を受信し、ステップＳ３７で２台以上の他ビデオカメラから他ビデオＩＤ情報、静止画像情報を受信しなかった場合、ステップＳ３８で図２ｂのフローチャートの＊４に接続される。
【００１９】
ステップＳ３７で２台以上の他ビデオカメラから他ビデオＩＤ情報、静止画像情報を受信した場合、ステップＳ３９でＬＣＤモニター表示回路１３を介してＬＣＤモニター１２に自己ＩＤ情報と、静止画像情報をマルチ画面表示する。ステップＳ４０でマルチ画面表示された複数の静止画像情報の中から必要な静止画像情報を選択し、ステップＳ４１でＬＣＤモニター表示回路１３を介してＬＣＤモニター１２に選択した静止画像情報を表示し、ステップＳ４２で図２ｂのフローチャートの＊５に接続される。
【００２０】
図３ｂは、前記システムの内、他ビデオカメラからの静止画像情報送信依頼信号を受信し、静止画像情報を送信するビデオカメラの動作を示すフローチャートである。
【００２１】
ステップＳ５１の通常モードの状態から、ステップＳ５２で情報送受信ＳＷｌ６がＯＦＦの場合、ステップＳ５１の通常モードにもどり、ステップＳ５２で情報送受信ＳＷ１６がＯＮされ、ステップＳ５３で他ビデオＩＤ情報、静止画像情報送信依頼信号を受信しない場合は、ステップＳ５１の通常モードにもどり、ステップＳ５３で画像情報ＩＤ情報各信号送受信回路１４により、他ビデオＩＤ情報、静止画像情報送信依頼信号を受信した場合は、ステップＳ５４でＬＣＤモニター表示回路１３を介してＬＣＤモニター１２に他ビデオカメラの静止画像情報送信依頼信号、ＩＤ情報を表示させ、ステップＳ５５で図２のフローチャートの＊１へ接続される。
【００２２】
図４ａは、前記システムの内、画像情報を送信する相手のビデオカメラを指定して画像情報を送信するビデオカメラの動作を示すフローチャートである。
【００２３】
ステップＳ６１の通常モードの状態から、ステップＳ６２で他ビデオＩＤ指定ＳＷ２０がＯＦＦの場合、ステップＳ６１の通常モードにもどり、ステップＳ６２で他ビデオＩＤ指定ｓｗ２０がＯＮになると、ステップＳ６３で他ビデオＩＤ情報入力手段２１から入力された他ビデオＩＤ情報と撮像中の画像情報と自己ＩＤ情報を画像情報自己ＩＤ情報各信号合成分解回路２２によりステップＳ６４で合成する。ステップＳ６５で情報送受信ＳＷ１６がＯＦＦの場合、ステップＳ６１の通常モードにもどり、ステップＳ６５で情報送受信ＳＷ１６がＯＮされると、ステップＳ６６で他ビデオＩＤ情報と撮像中の画像情報と自己ＩＤ情報の合成信号を、ＩＤを指定した他ビデオに送信し、ステップＳ６７でＬＣＤモニター表示回路１３を介してＬＣＤモニター１２に他ビデオＩＤ情報と撮像中の画像情報と自己ＩＤ情報の合成信号を送信していることを表示する。
【００２４】
図４ｂは、前記システムの内、他のビデオカメラから画像情報を送信する相手として指定され画像情報を受信するビデオカメラの動作を示すフローチャートである。
【００２５】
ステップＳ７１の通常モードの状態から、ステップＳ７２で画像情報、ＩＤ情報を送受信する送受信ＳＷ１６がＯＦＦの場合、ステップＳ７１の通常モードにもどり、ステップＳ７２で画像情報、ＩＤ情報を送受信する送受信ＳＷ１６がＯＮされ、ステップＳ７３で他ビデオＩＤ情報検知手段１５が他ビデオＩＤ情報を検知しない場合は、ステップＳ７１の通常モードにもどる。ステップＳ７３で他ビデオＩＤ情報検知手段１５が他ビデオＩＤ情報を検知すると、ステップＳ７４でシステムマイコン１９は画像情報ＩＤ情報各信号送受信回路１４により、他ビデオＩＤ情報、他ビデオ指定ＩＤ情報、画像情報の合成信号を受信する。
【００２６】
ステップＳ７５で他ビデオカメラが指定した他ビデオ指定ＩＤ情報と自己ＩＤが違う場合は、ステップＳ７１の通常モードにもどり、ステップＳ７５で他ビデオカメラが指定した他ビデオ指定ＩＤ情報と自己ＩＤが同じ場合は、ステップＳ７６で画像情報自己ＩＤ情報各信号合成分解回路２２により他ビデオＩＤ情報と画像情報と他ビデオ指定ＩＤ情報を分解し、ステップＳ７７でシステムマイコン１９はＬＣＤモニター表示回路１３を介してＬＣＤモニター１２に他ビデオが撮像した画像情報を表示させる。
【００２７】
ステップＳ７８で画像記録ＳＷｌ７がＯＦＦの場合、ステップＳ７１の通常モードにもどり、ステップＳ７８で画像記録ＳＷｌ７がＯＮされると、ステップＳ７９でシステムマイコン１９は受信した画像情報をディスクレコーダー１１に記録させる制御をする。
【００２８】
図５ａは、前記システムの内、画像情報を送信依頼する相手のビデオカメラを指定して画像情報送信依頼信号を送信するビデオカメラの動作を示すフローチャートである。
【００２９】
ステップＳ８１の通常モードの状態から、ステップＳ８２で送信依頼ＳＷｌ８がＯＦＦの場合、ステップＳ８１の通常モードにもどり、ステップＳ８２で送信依頼ＳＷｌ８がＯＮされ、ステップＳ８３で他ビデオＩＤ指定ＳＷ２０がＯＦＦの場合、ステップＳ８１の通常モードにもどる。ステップＳ８３で他ビデオＩＤ指定ＳＷ２０がＯＮになると、ステップＳ８４で他ビデオ指定ＩＤ情報を他ビデオＩＤ情報入力手段２１から入力し、ステップＳ８５で他ビデオＩＤ情報入力手段２１から入力された他ビデオＩＤ情報と画像送信依頼信号と自己ＩＤ情報を画像情報自己ＩＤ情報各信号合成分解回路２２により合成する。
【００３０】
ステップＳ８６で情報送受信ＳＷｌ６がＯＦＦの場合、ステップＳ８１の通常モードにもどり、ステップＳ８６で情報送受信ＳＷ１６がＯＮされると、ステップＳ８７で他ピデオＩＤ情報と画像送信依頼信号と自己ＩＤ情報の合成信号を、ＩＤを指定した他ビデオカメラに送信し、ステップＳ８８でＬＣＤモニター表示回路１３を介してＬＣＤモニター１２に他ビデオＩＤ情報と画像送信依頼信号と自己ＩＤ情報の合成信号を送信していることを表示し、ステップＳ８９で図４ｂのフローチャートの＊８に接続される。
【００３１】
図５ｂは前記システムの内、他ビデオカメラからの画像情報送信依頼信号を受信し、画像情報を送信するビデオカメラとしてＩＤを指定されたビデオカメラの動作を示すフローチャートである。
【００３２】
ステップＳ９１の通常モードの状態から、ステップＳ９２で情報送受信ＳＷｌ６がＯＦＦの場合、ステップＳ９１の通常モードにもどり、ステップＳ９２で情報送受信ＳＷ１６がＯＮされ、ステップＳ９３で他ビデオＩＤ情報，静止画像情報送信依頼信号を受信しない場合は、ステップＳ９１の通常モードにもどる。ステップＳ９３で他ビデオカメラが送信した他ビデオＩＤ情報と、他ビデオカメラが指定した指定ＩＤと画像情報送信依頼信号の合成信号を受信しない場合は、ステップＳ９１の通常モードにもどる。
【００３３】
ステップＳ９３で画像情報ＩＤ情報各信号送受信回路１４により、他ビデオカメラが送信した他ビデオＩＤ情報と、他ビデオカメラが指定した指定ＩＤと画像情報送信依頼信号の合成信号を受信した場合は、ステップＳ９４で画像情報ＩＤ情報送信依頼信号合成分解回路２２を介して、他ビデオカメラが送信した他ビデオＩＤ情報と、他ビデオカメラが指定した指定ＩＤと画像情報送信依頼信号の合成信号を他ピデオカメラが送信した他ビデオＩＤ情報と、他ビデオカメラが指定した指定ＩＤと画像情報送信依頼信号に分解する。ステップＳ９５で他ビデオＩＤ情報検知手段１５が他ビデオＩＤ情報、指定ＩＤを検知しない場合ステップＳ９１の通常モードにもどる。
【００３４】
ステップＳ９５で他ビデオＩＤ情報検知手段１５が他ビデオＩＤ情報、指定ＩＤを検知し、ステップＳ９６で、他ビデオカメラが指定した他ビデオ指定ＩＤ情報と自己ＩＤが違う場合は、ステップＳ９１の通常モードにもどり、ステップＳ９６で他ビデオカメラが指定した他ビデオ指定ＩＤ情報と自己ＩＤが同じ場合は、ステップＳ９７でシステムマイコン１９は、ＬＣＤモニター表示回路１３を介してＬＣＤモニター１２に他ビデオＩＤ情報と、画像情報送信依頼信号を表示し、ステップＳ９８で画像情報を送信する相手のビデオカメラを指定して図４ａの＊７へ接続される。
【００３５】
図６は、前記システムの内、電源がスタンパイ状態時に他ビデオＩＤ情報、静止画像情報を受信した場合、電源ＯＮとなり画像情報受信側となるビデオカメラの動作を示すフローチャートである。
【００３６】
ステップＳ１０１で電源がＯＦＦでは電源ＯＦＦ、電源がＯＮではステップＳ１０２の通常モード、電源がスタンバイではステップＳ１０３のスタンバイとなり、ステップＳ１０４で、他ビデオＩＤ情報、静止画像情報を受信した場合ステップＳ１０５で一時的に電源をＯＮの状態にし、ステップＳ１０６でＬＣＤモニター表示回路１３を介してＬＣＤモニター１２に他ビデオＩＤ情報、静止画像情報を表示する。
【００３７】
ステップＳ１０７でいずれかのＫｅｙ操作がない場合には、ステップＳ１０１にもどり、ステップＳ１０７でいずれかのＫｅｙ操作があった場合には、ステップＳ１０８でそのまま電源ＯＮの状態となり、ステップＳ１０９で図２ｂのフローチャートの＊３に接続される。
【００３８】
図７ａは、図２ａのフローチャートの＊２に接続され、動画像情報を送信している相手の他ビデオからズームやＡＥなどの操作を受付けるモードを設けたビデオカメラの動作を示すフローチャートである。
【００３９】
ステップＳ１１２で動画像記録ＳＷｌ７がＯＮされた場合には、ステップＳ１１１へもどり、ステップＳ１１２で動画像記録ＳＷ１７がＯＦＦの場合、ステップＳｌ１３で他ビデオ操作受付ＳＷ２３がＯＦＦの場合はステップＳ１１１へもどる。
【００４０】
ステップＳ１１３で他ビデオ操作受付ＳＷ２３がＯＮの場合はステップＳ１１４で他ビデオカメラに対して他ビデオ操作受付信号を送信する。ステップＳ１１５で他ビデオカメラから他ビデオ操作モード信号を受信しない場合はステップＳ１１１へもどり、ステップＳ１１５で他ビデオカメラから他ビデオ操作モード信号を受信した場合はステップＳ１１６でビデオ操作受付モードになり、ステップＳ１１７でＬＣＤモニター表示回路１３を介してＬＣＤモニター１２に他ビデオ操作受付モードであることを表示する。
【００４１】
ステップＳ１１８で他ビデオカメラから他ビデオ操作信号を受信しない場合は、ステップＳ１１１へもどり、ステップＳ１１８で他ビデオカメラからズームやＡＥなどの他ビデオ操作信号を受信した場合は、ステップＳ１１９でＬＣＤモニター１２に他ビデオカムコーダーからズームやＡＥなどの他ビデオ操作信号を受信したことを表示し、ステップＳ１２０で他ビデオから操作されたズームやＡＥなどが動作する。
【００４２】
図７ｂは、図２のフローチャーの＊６に接続され、動画像情報を送信してもらっている他ビデオカメラのズームやＡＥなどの操作を制御するモードを設けたビデオカメラの動作を示すフローチャートである。
【００４３】
ステップＳ１２２で他ビデオカメラから他ビデオ操作受付信号を受信しない場合は、ステップＳ１２１へもどり、ステップＳ１２２で動画像情報を送信している他ビデオカメラから他ビデオ操作受付信号を受信した場合はステップＳ１２３でＬＣＤモニター表示回路１３を介してＬＣＤモニター１２に他ピデオ操作受付信号を受信したことを表示する。
【００４４】
ステップＳｌ２４で他ビデオ操作モードＳＷ２３がＯＦＦの場合はステップＳｌ２１へもどり、ステップＳｌ２４で他ビデオ操作モードＳＷ２３がＯＮの場合はステップＳｌ２５で他ビデオ操作モードになり、ステップＳｌ２６でＬＣＤモニター表示回路１３を介してＬＣＤモニター１２に他ビデオ操作モードであることを表示する。
【００４５】
ステップＳｌ２７でズームやＡＥなどの操作Ｋｅｙが操作されない場合は、ステップＳ１２１へもどり、ステップＳ１２７でズームやＡＥなどの操作Ｋｅｙが操作された場合は、ステップＳ１２８で動画像情報を送信している他ビデオカメラに対して他ビデオ操作信号を送信する。
【００４６】
図８ａは、画像情報送信側となるビデオカメラのうち、ビデオＩＤ情報などの情報送信時に機種名やスペック等を同時に送信するビデオカメラの動作を示すフローチャートである。
【００４７】
ステップＳｌ３２でスペックＳＷ２４がＯＦＦの場合は、ステップＳ１３１ヘもどり、ステップＳ１３２でスペックＳＷ２４がＯＮの場合は、ステップＳ１３３でスペック送信モードとなり、ステップＳ１３４で情報送受信ＳＷｌ６がＯＦＦの時は、ステップＳ１３１の通常モードとなる。
【００４８】
ステップＳ１３４で画像情報ＩＤ情報を送受信する送受信ＳＷ１６がＯＮされると、ステップＳ１３５でシステムマイコン１９はＬＣＤモニター表示回路１３を介してＬＣＤモニター１２に静止画像情報ＩＤ情報スペック情報を送信中であることを表示させ、ステップＳ１３６で画像情報ＩＤ情報各信号送受信回路１４を介して静止画像情報ＩＤ情報スペック情報を他ビデオに対し送信し、図２のフローチャートにおける＊９へ接続される。
【００４９】
図８ｂは、画像情報受信側となるビデオカメラのうち，ビデオＩＤ情報などの情報受信時に機種名やスペック等を同時に受信するビデオカメラの動作を示すフローチャートである。
【００５０】
ステップＳ１４２でスペックＳＷ２４がＯＦＦの場合は、ステップＳ１４１にもどり、ステップＳ１４２でスペックＳＷ２４がＯＮの場合は、ステップＳ１４３でスペック送信モードとなり、ステップＳ１４４で情報送受信ＳＷ１６がＯＦＦの時は、ステップＳ１４１の通常モードとなる。ステップＳ１４４で画像情報ＩＤ情報を送受信する送受信ＳＷ１６がＯＮされ、ステップＳ１４５で他ビデオＩＤ情報検知手段１５が他ビデオＩＤ情報を検知しない場合は、ステップＳ１４１にもどる。
【００５１】
ステップＳ１４５で他ビデオＩＤ情報検知手段１５が他ビデオＩＤ情報を検知すると、ステップＳ１４６でシステムマイコン１９は画像情報ＩＤ情報各信号送受信回路１４により、他ビデオＩＤ情報、スペック情報、静止画像情報を受信し、ステップＳ１４７でＬＣＤモニター表示回路１３を介してＬＣＤモニター１２に他ビデオの静止画像情報、ＩＤ情報、スベック情報を表示し、ステップＳ１４８で図２ｂのフローチャートにおける＊５に接続される．
図９は、前紀システムの記録時あるいは、再生時の動作を示すフローチャートである。
【００５２】
ステップＳ１５１の通常モードの状態から、ステップＳ１５２でビデオ記録モードの時、ステップＳ１５３でディスクレコーダー１１の記録モードを他のビデオカメラから受信した画像のみを記録するのか、自分で撮像している画像のみを記録するのか、前記両方の画像を同時に記録するのかを切換える記録モード切換ＳＷ２５が、他のビデオカメラから受信した画像のみを記録するモードになっている時に、ステップＳ１５４で画像を記録するための画像記録ＳＷｌ８がＯＦＦの場合は、ステップＳ１５１の通常モードとなり、ステップＳ１５４で画像を記録するための画像記録ＳＷｌ８がＯＮの場合は、ステップＳ１５５でシステムマイコン１９は、他のビデオカメラから受信した画像のみを記録する。ステップＳ１５３で記録モード切換ＳＷ２５が、自分で撮像している画像のみを記録するモードになっている時に、ステップＳ１５６で画像を記録するための画像記録ＳＷｌ８がＯＦＦの場合は、ステップＳ１５１の通常モードとなり、ステップＳ１５６で画像を記録するための画像記録ＳＷ１８がＯＮの場合は、ステップＳ１５７でシステムマイコン１９は、自分で撮像している画像のみを記録する。ステップＳ１５３で記録モード切換ＳＷ２５が、他のビデオカメラから受信した画像と自分で撮像している画像の両方を記録するモードになっている時に、ステップＳ１５８でシステムマイコン１９は、ディスクレコーダー１１を２倍速制御し、ステップＳ１５９で画像を記録するための画像記録ＳＷｌ８がＯＦＦの場合はステップＳ１５１の通常モードとなり、ステップＳ１５９で両像を記録するための画像記録ＳＷ１８がＯＮの場合は、ステップＳ１６０でシステムマイコン１９は、他のピデオカムコーダーから受信した画像と自分で撮像している画像の両方を記録する。
【００５３】
ステップＳ１５１の通常モードの状態から、ステップＳ１５２で再生モードの時、ステップＳ１６１でディスクレコーダー１１の再生モードを他のビデオカメラから受信し記録した画像のみを再生するのか、自分で撮像し記録した画像のみを再生するのか、前記両方の画像を同時に再生するのかを切換える再生モード切換ＳＷ２６が、他のビデオカムコーダーから受信し記録した画像のみを再生するモードになっている時に、ステップＳ１６２で画像を再生するための画像再生ＳＷ２７がＯＦＦの場合は、ステップＳ１５１の通常モードとなり、ステップＳ１６２で画像を再生するための画像再生ＳＷ２７がＯＮの場合は、ステップＳ１６３でシステムマイコン１９は、他のビデオカメラから受信し記録した画像のみを再生する。ステップＳ１６１で再生モード切換ＳＷ２６が、自分で撮像し記録した画像のみを再生するモードになっている時に、ステップＳ１６６）で画像を再生するための画像再生ＳＷ２７がＯＦＦの場合は、ステップＳ１５１の通常モードとなり、ステップＳ１６６で画像を再生するための画像再生ＳＷ２７がＯＮの場合は、ステップＳ１６７でシステムマイコン１９は、自分で撮像し記録した画像のみを再生する。ステップＳ１６１で再生モード切換ＳＷ２６が、他のビデオカメラから受信し記録した画像と自分で撮像し記録した画像の両方を再生するモードになっている時に、ステップＳ１６４で画像を再生するための画像再生ＳＷ２７がＯＦＦの場合は、ステップＳ１５１の通常モードとなる。ステップＳ１６４で画像を再生するための画像再生ＳＷ２７がＯＮの場合は、ステップＳ１６５でシステムマイコン１９は、他のビデオカメラから受信し記録した画像と自分で撮像し記録した画像の両方を２画面あるいは子画面で表示しながら同時再生する。
【００５４】
図１０は本実施形態のシステムを運動会等で使用した例を示す概略図である。
【００５５】
図１０において、３１は運動会等に参加している被写体である。３２は被写体３１を撮影する撮影者であり、３３は撮影者３２が使用し図３ａのフローチャートの動作を行う受信側となるビデオカメラであり、３４はビデオカメラ３３のモニターの表示画面である。３５は被写体３１を撮影する撮影者であり、３６は撮影者３５が使用し図３ｂのフローチャートの動作を行う送信側となるビデオカメラであり、３７はビデオカメラ３６のモニターの表示画面である。３８は被写体３１を撮影する撮影者であり、３９は撮影者３８が使用し図３ｂのフローチャートの動作を行う送信側となるビデオカメラであり、４０はビデオカメラ３９のモニターの表示画面である。４１は撮影者３２が使用するビデオカメラ３３のモニターの表示画面で、他のビデオカメラから静止画情報を受信しマルチ画面表示したところであり、４２は撮影者３２が使用するビデオカメラ３３が撮像している動画像を表示している。４３は撮影者３５が使用し送信側となるビデオカメラ３６が撮像し、ビデオカメラ３３に送信した静止画情報を表示している。４４は撮影者３８が使用し送信側となるビデオカメラ３９が撮像し、ビデオカメラ３３に送信した静止画情報を表示している。
【００５６】
撮影者３２はマルチ画面表示された画像４３、４４の中から記録したい画像を選択し、記録したい画像を撮像している撮影者３５あるいは撮影者３８に動画像情報を送信依頼し、動画像情報送信依頼を受信した撮影者３５あるいは撮影者３８は撮影者３２に動画像を送信する。動画像を受信した撮影者３２は自分で撮像している動画像と受信した動画像を同時にビデオカメラ３３の記録媒体に記録することができる。
【図面の簡単な説明】
【００５７】
【図１】本発明の実施形態のビデオカメラの構成を示すプロック図である。
【図２ａ】複数のビデオカメラからなるシステムの送受信動作を示すフローチャートである。
【図２ｂ】複数のビデオカメラからなるシステムの送受信動作を示すフローチャートである。
【図３ａ】複数のビデオカメラからなるシステムの送受信動作を示すフローチャートである。
【図３ｂ】複数のビデオカメラからなるシステムの送受信動作を示すフローチャートである。
【図４ａ】複数のビデオカメラからなるシステムの送受信動作を示すフローチャートである。
【図４ｂ】複数のビデオカメラからなるシステムの送受信動作を示すフローチャートである。
【図５ａ】複数のビデオカメラからなるシステムの送受信動作を示すフローチャートである。
【図５ｂ】複数のビデオカメラからなるシステムの送受信動作を示すフローチャートである。
【図６】複数のビデオカメラからなるシステムの送受信動作を示すフローチャートである。
【図７ａ】複数のビデオカメラからなるシステムのカメラ制御動作を示すフローチャートである。
【図７ｂ】複数のビデオカメラからなるシステムのカメラ制御動作を示すフローチャートである。
【図８ａ】複数のビデオカメラからなるシステムの送受信動作を示すフローチャートである。
【図８ｂ】複数のビデオカメラからなるシステムの送受信動作を示すフローチャートである。
【図９】複数のビデオカメラからなるシステムの記録再生動作を示すフローチャートである。
【図１０】複数のビデオカメラからなるシステムの使用例を示す図である。
【符号の説明】
【００５８】
１０  カメラ部
１１  ディスクレコーダー
１２  ＬＣＤモニター
１３  ＬＣＤモニター表示回路
１４  画像情報ＩＤ情報各信号送受信回路
１５  ビデオＩＤ情報検知手段
１６  情報送受信ＳＷ
１９  システムマイコン
【図１】
2006165611.tif 000003
【図２ａ】
2006165611.tif 000004
【図２ｂ】
2006165611.tif 000005
【図３ａ】
2006165611.tif 000006
【図３ｂ】
2006165611.tif 000007
【図４ａ】
2006165611.tif 000008
【図４ｂ】
2006165611.tif 000009
【図５ａ】
2006165611.tif 000010
【図５ｂ】
2006165611.tif 000011
【図６】
2006165611.tif 000012
【図７ａ】
2006165611.tif 000013
【図７ｂ】
2006165611.tif 000014
【図８ａ】
2006165611.tif 000015
【図８ｂ】
2006165611.tif 000016
【図９】
2006165611.tif 000017
【図１０】
2006165611.tif 000018